(57)【要約】【課題】配置の自由度を高めることができる表示装置を提供する。【解決手段】一形態に係る表示装置は、ダッシュボードＤに取り付けられる表示装置１である。表示装置１は、駆動力を生じる駆動部と、ダッシュボードＤの開口Ｄ１を開閉する蓋部２と、駆動部の駆動力により蓋部２を移動させる蓋駆動部材４０と、所定の情報を表示する表示面３ａを有するコンバイナ３と、駆動部の駆動力により、開口Ｄ１に対する表示面３ａの向きを維持した状態でコンバイナ３を上下移動させ、開口Ｄ１の上方において表示面３ａを傾動させる表示駆動部材と、を備える。【選択図】図２
2017226315.tif 000002
【特許請求の範囲】
【請求項１】
対象物に取り付けられる表示装置であって、
駆動力を生じる駆動部と、
前記対象物の開口を開閉する蓋部と、
前記駆動部の駆動力により前記蓋部を移動させる蓋駆動部材と、
所定の情報を表示する表示面を有する表示部と、
前記駆動部の駆動力により、前記開口に対する前記表示面の向きを維持した状態で前記表示部を上下移動させ、前記開口の上方において前記表示部を傾動させる表示駆動部材と、を備える、
表示装置。
【請求項２】
前記駆動部の駆動力によって回転する回転体を更に備え、
一方向への前記回転体の回転によって、前記蓋駆動部材が前記蓋部に前記開口を開放させ、前記表示駆動部材が前記表示部の上方への移動及び前記表示部の傾動を行い、
他方向への前記回転体の回転によって、前記表示駆動部材が前記表示部の傾動及び前記表示部の下方への移動を行い、前記蓋駆動部材が前記蓋部に前記開口を閉塞させる、
請求項１に記載の表示装置。
【請求項３】
前記一方向に前記回転体が一回転する間に、前記蓋駆動部材が前記蓋部に前記開口を開放させ、前記表示駆動部材が前記表示部の上方への移動及び前記表示部の傾動を行い、
前記他方向に前記回転体が一回転する間に、前記表示駆動部材が前記表示部の傾動及び前記表示部の下方への移動を行い、前記蓋駆動部材が前記蓋部に前記開口を閉塞させる、
請求項２に記載の表示装置。
【請求項４】
前記回転体は、板状を成し、かつ、互いに対向する第１面及び第２面を有し、
前記蓋駆動部材は、前記第１面に係合されており、
前記表示駆動部材は、前記第２面に係合されている、
請求項２又は３に記載の表示装置。
【請求項５】
前記回転体は、前記第１面に設けられた第１溝と、前記第２面に設けられた第２溝と、を有し、
前記蓋駆動部材は、前記第１溝に係合する第１ボスを有し、
前記表示駆動部材は、前記第２溝に係合する第２ボスを有し、
前記回転体の回転によって前記第１ボスが前記第１溝に沿って移動することにより前記蓋駆動部材に前記蓋部を移動させ、前記回転体の回転によって前記第２ボスが前記第２溝に沿って移動することにより前記表示駆動部材に前記表示部を移動させる、
請求項４に記載の表示装置。
【請求項６】
前記蓋駆動部材は、前記第１ボスを有するシャッターレバーと、前記シャッターレバーに連結されたシャッターリンクと、第３ボスを有すると共に前記蓋部に連結されたシャッターラックと、前記第３ボスが係合する第３溝を有するカバーと、を含んでおり、
前記回転体の回転によって前記第３ボスが前記第３溝に沿って移動することにより、前記蓋部が前記開口を開閉する、
請求項５に記載の表示装置。
【請求項７】
前記表示駆動部材は、前記第２ボスを有する表示駆動レバーと、前記表示駆動レバーに連結された表示駆動リンクと、第４ボスを有すると共に前記表示駆動リンクに連結されたチルトリンクと、前記第４ボスが係合する第４溝を有する固定部材と、を含んでおり、
前記回転体の回転によって前記第４ボスが前記第４溝に沿って移動することにより、前記表示部が昇降する、
請求項５又は６に記載の表示装置。
【請求項８】
前記表示部を支持すると共に前記チルトリンクに揺動自在に連結されたキャリッジと、前記固定部材に揺動自在に連結されたチルトレバーとを備え、
前記表示部が前記開口の上方に到達した状態で前記キャリッジが前記チルトレバーに当接して前記チルトレバーに押圧されることにより、前記キャリッジと共に前記表示部が傾動する、
請求項７に記載の表示装置。
【請求項９】
前記キャリッジは第５ボスを有し、前記チルトレバーは第５溝を有しており、
前記キャリッジは、前記第５ボスが前記第５溝に係合した状態で前記チルトレバーに押圧される、
請求項８に記載の表示装置。
【請求項１０】
前記キャリッジと前記チルトリンクとの間に位置しており、前記キャリッジ及び前記表示部の傾動を戻す方向に前記キャリッジを付勢する付勢部材を備える、
請求項８又は９に記載の表示装置。
【発明の詳細な説明】
【技術分野】
【０００１】
本発明は、表示装置に関する。
【背景技術】
【０００２】
自動車の運転者等に情報を表示する表示装置としては、従来から種々のものが知られている。特許文献１には、車両のダッシュボードに設置されて運転に必要な情報等を表示するコンバイナを備えた表示装置が記載されている。この表示装置は、長方形状の開口が形成された直方体状の上ケースと、上ケースの当該開口との反対側において上ケースに接合された直方体状の下ケースと、当該開口の一方側を覆う第１の蓋部材と、当該開口の他方側を覆う第２の蓋部材とを備えている。
【０００３】
コンバイナの未使用時には、第１の蓋部材及び第２の蓋部材が上記の開口を閉塞し、この状態において、コンバイナは、その表示面が上向きとされて上ケースの内部に格納されている。一方、コンバイナの使用時には、第１の蓋部材及び第２の蓋部材が上記開口を開放し、コンバイナは、表示面が上向きから横向きとなるように回動する。このように、コンバイナは、表示面が上向きから横向きとなるように回動すると共に開口から突出して立ち上がり、立ち上がった状態で所定の情報を表示面に表示する。
【先行技術文献】
【特許文献】
【０００４】
【特許文献１】特開２０１５−０００７１０号公報
【発明の概要】
【発明が解決しようとする課題】
【０００５】
前述の表示装置では、コンバイナは、その表示面が上向きから横向きとなるように回動して立ち上がるので、ダッシュボード等の設置対象物に、コンバイナを回動させるためのスペースを確保する必要がある。しかしながら、ダッシュボード等の設置対象物では、より限られたスペースに表示装置を配置することが求められている。従って、コンバイナが回動して立ち上がる表示装置は、設置対象物への配置の自由度が制限されることが懸念される。
【０００６】
本発明の一形態は、配置の自由度を高めることができる表示装置を提供することを目的とする。
【課題を解決するための手段】
【０００７】
本発明の一形態に係る表示装置は、対象物に取り付けられる表示装置であって、駆動力を生じる駆動部と、対象物の開口を開閉する蓋部と、駆動部の駆動力により蓋部を移動させる蓋駆動部材と、所定の情報を表示する表示面を有する表示部と、駆動部の駆動力により、開口に対する表示面の向きを維持した状態で表示部を上下移動させ、開口の上方において表示部を傾動させる表示駆動部材と、を備える。
【０００８】
別の形態に係る表示装置において、駆動部の駆動力によって回転する回転体を更に備え、一方向への回転体の回転によって、蓋駆動部材が蓋部に開口を開放させ、表示駆動部材が表示部の上方への移動及び表示部の傾動を行い、他方向への回転体の回転によって、表示駆動部材が表示部の傾動及び表示部の下方への移動を行い、蓋駆動部材が蓋部に開口を閉塞させてもよい。
【０００９】
別の形態に係る表示装置において、一方向に回転体が一回転する間に、蓋駆動部材が蓋部に開口を開放させ、表示駆動部材が表示部の上方への移動及び表示部の傾動を行い、他方向に回転体が一回転する間に、表示駆動部材が表示部の傾動及び表示部の下方への移動を行い、蓋駆動部材が蓋部に開口を閉塞させてもよい。
【００１０】
別の形態に係る表示装置において、回転体は、板状を成し、かつ、互いに対向する第１面及び第２面を有し、蓋駆動部材は、第１面に係合されており、表示駆動部材は、第２面に係合されていてもよい。
【００１１】
別の形態に係る表示装置において、回転体は、第１面に設けられた第１溝と、第２面に設けられた第２溝と、を有し、蓋駆動部材は、第１溝に係合する第１ボスを有し、表示駆動部材は、第２溝に係合する第２ボスを有し、回転体の回転によって第１ボスが第１溝に沿って移動することにより蓋駆動部材に蓋部を移動させ、回転体の回転によって第２ボスが第２溝に沿って移動することにより表示駆動部材に表示部を移動させてもよい。
【００１２】
別の形態に係る表示装置において、蓋駆動部材は、第１ボスを有するシャッターレバーと、シャッターレバーに連結されたシャッターリンクと、第３ボスを有すると共に蓋部に連結されたシャッターラックと、第３ボスが係合する第３溝を有するカバーと、を含んでおり、回転体の回転によって第３ボスが第３溝に沿って移動することにより、蓋部が開口を開閉してもよい。
【００１３】
別の形態に係る表示装置において、表示駆動部材は、第２ボスを有する表示駆動レバーと、表示駆動レバーに連結された表示駆動リンクと、第４ボスを有すると共に表示駆動リンクに連結されたチルトリンクと、第４ボスが係合する第４溝を有する固定部材と、を含んでおり、回転体の回転によって第４ボスが第４溝に沿って移動することにより、表示部が昇降してもよい。
【００１４】
別の形態に係る表示装置において、表示部を支持すると共にチルトリンクに揺動自在に連結されたキャリッジと、固定部材に揺動自在に連結されたチルトレバーとを備え、表示部が開口の上方に到達した状態でキャリッジがチルトレバーに当接してチルトレバーに押圧されることにより、キャリッジと共に表示部が傾動してもよい。
【００１５】
別の形態に係る表示装置において、キャリッジは第５ボスを有し、チルトレバーは第５溝を有しており、キャリッジは、第５ボスが第５溝に係合した状態でチルトレバーに押圧されてもよい。
【００１６】
別の形態に係る表示装置において、キャリッジとチルトリンクとの間に位置しており、キャリッジ及び表示部の傾動を戻す方向にキャリッジを付勢する付勢部材を備えてもよい。
【発明の効果】
【００１７】
本発明の一形態によれば、配置の自由度を高めることができる。
【図面の簡単な説明】
【００１８】
【図１】図１は、第１実施形態に係る表示装置を示す斜視図である。
【図２】図２は、蓋駆動部材を示す側面図である。
【図３】図３は、蓋駆動部材を示す斜視図である。
【図４】図４は、メインギヤの第１面を示す斜視図である。
【図５】図５は、カバーを示す側面図である。
【図６】図６は、表示駆動部材を示す斜視図である。
【図７】図７は、表示駆動部材を図６とは別の方向から見た斜視図である。
【図８】図８は、メインギヤの第２面を示す斜視図である。
【図９】図９は、表示駆動リンクを示す斜視図である。
【図１０】図１０は、内カバーを示す斜視図である。
【図１１】図１１は、蓋部が開口を閉塞した状態を示す図である。
【図１２】図１２は、蓋部が開口を開放している状態を示す図である。
【図１３】図１３は、蓋部が開口を開放した状態を示す図である。
【図１４】図１４は、コンバイナが上昇を開始する状態を示す図である。
【図１５】図１５は、コンバイナが上昇している状態を示す図である。
【図１６】図１６は、コンバイナが上昇している状態を示す図である。
【図１７】図１７は、コンバイナの上昇が完了した状態を示す図である。
【図１８】図１８は、コンバイナが傾動している状態を示す図である。
【図１９】図１９は、第２実施形態に係る表示装置の蓋駆動部材を示す図である。
【図２０】図２０は、第２実施形態の蓋部及び外カバーを示す図である。
【図２１】図２１は、蓋部が開口を開放したときの各部品の状態を示す図である。
【発明を実施するための形態】
【００１９】
以下、添付図面を参照して実施形態に係る表示装置について説明する。なお、図面の説明において同一又は相当する要素には同一の符号を付し、重複する説明を省略する。
【００２０】
（第１実施形態）
第１実施形態に係る表示装置１について説明する。図１及び図２に示されるように、表示装置１は、例えば車両のダッシュボードＤ（対象物）に取り付けられるヘッドアップディスプレイである。ダッシュボードＤは、例えば上に凸となるように緩やかに湾曲した形状を呈する。以下の説明では、図２の紙面の上下方向を単に上下方向、図２の左方向を前方向、図２の右方向を後方向、図２の紙面に直交する方向を左右方向として説明する。但し、これらの方向は、説明の便宜のためのものであって、配置の方向等を限定するものではない。
【００２１】
ダッシュボードＤは、所定の高さから斜め下方に曲面状に延びている。ダッシュボードＤには、表示装置１を露出させる開口Ｄ１が形成されている。表示装置１は、この開口Ｄ１の下部に搭載されている。表示装置１は、開口Ｄ１を下から開閉する蓋部２と、車両の運転者等に情報を表示する表示面３ａを有するコンバイナ３（表示部）と、外カバー４（カバー）と、内カバー５（固定部材）とを備えている。図２は外カバー４を省略した表示装置１の側面図を示している。
【００２２】
蓋部２は、ダッシュボードＤの表側に露出する表面２ａを有しており、この表面２ａは僅かに上に凸とされた曲面状を呈する。また、蓋部２が開口Ｄ１を閉じた状態において、蓋部２の表面２ａは、ダッシュボードＤの表面と同一平面上に設けられる。すなわち、蓋部２は、開口Ｄ１を閉じた状態において、ダッシュボードＤの表面から突出しない。
【００２３】
また、開口Ｄ１を開放すると共に、蓋部２は、開口Ｄ１に対して下方に移動し、その後、前方かつ斜め下方に移動する。蓋部２は、コンバイナ３を使用していないとき（コンバイナ３の表示面３ａに情報を表示しないとき）に、開口Ｄ１を閉塞する。これにより、コンバイナ３の不使用時において、ダッシュボードＤ内部への異物の進入が防止される。
【００２４】
蓋部２の左右方向の端部２ｃは、下方に折り曲げられた折り曲げ部２ｄを有し、この折り曲げ部２ｄは、外カバー４と内カバー５の間に上から入り込んでいる。折り曲げ部２ｄには、蓋部２の前端の下側から外側（図１における左側）に突出するボス２ｅと、蓋部２の後端の下側から外側に突出するボス２ｆとが設けられている。
【００２５】
コンバイナ３は、蓋部２が開口Ｄ１を閉じた状態において、蓋部２の下方に配置されている。コンバイナ３は、平板状とされており、後方かつ斜め下方に向けられた表示面３ａを有する。コンバイナ３の表示面３ａには、例えば表示装置１の内部に配置された光学系が形成した像が表示される。コンバイナ３は、開口Ｄ１が開放されているときに、表示面３ａの延在方向に対して略平行に移動する。コンバイナ３は、コンバイナ３の下部が開口Ｄ１の上方に到達しているときに前後方向に傾動する。
【００２６】
図１〜図３に示されるように、外カバー４は、略平板状を呈する。外カバー４は、表示装置１の表面を構成する外側面４ａと、外側面４ａの反対側を向く内側面４ｂとを有する。外カバー４の上側の端面は、前側に向かうに従って斜め下方に湾曲して延びている。また、内カバー５は、略平板状を呈する。内カバー５は、外カバー４側（外側）を向く外側面５ａと、外側面５ａの反対側（内側）を向く内側面５ｂ（図１０参照）とを有する。内カバー５は、例えば外カバー４と略同一の形状を成しているが、外カバー４とは異なる形状であってもよい。外カバー４及び内カバー５は、蓋部２及びコンバイナ３を左右方向から保護している。
【００２７】
更に、表示装置１は、蓋部２及びコンバイナ３を移動させるための駆動力を発生する駆動部１０と、駆動部１０からの駆動力を伝達するギヤ部２０と、ギヤ部２０から駆動力を受けて蓋部２を移動させる蓋駆動部材４０と、ギヤ部２０から駆動力を受けてコンバイナ３を移動させる表示駆動部材６０（図６参照）とを備えている。
【００２８】
外カバー４、内カバー５、ギヤ部２０、蓋駆動部材４０及び表示駆動部材６０は、蓋部２及びコンバイナ３を挟むように左右一対に設けられている。左右一対に設けられた２つの外カバー４、内カバー５、ギヤ部２０、蓋駆動部材４０及び表示駆動部材６０は、互いに同一の形状を有し、互いに対称に配置されている。従って、図示の簡略化のため、各図では片側の外カバー４、内カバー５、ギヤ部２０、蓋駆動部材４０及び表示駆動部材６０のみを図示している。また、説明の簡略化のため、外カバー４、内カバー５、ギヤ部２０、蓋駆動部材４０及び表示駆動部材６０については、片側のものについてのみ説明する。
【００２９】
駆動部１０は、例えば、蓋部２の下方であって、かつ左右に並ぶ２枚の内カバー５の間に設けられている。駆動部１０は、モータ１１と、モータ１１の出力軸と共に回転するウォームギヤ１２と、ウォームギヤ１２に噛合するギヤ部１３と、ギヤ部１３の駆動力を左右両側のギヤ部２０に伝達させるシャフト１４とを備えている。
【００３０】
ウォームギヤ１２は、モータ１１の出力軸に圧入されており、ギヤ部１３は、モータ１１からウォームギヤ１２に出力された駆動力を受けて回転駆動する。ギヤ部１３は、例えば、ウォームギヤ１２が噛合する第１ギヤ１３ａと、第１ギヤ１３ａから駆動力を受けると共にシャフト１４を回転させる第２ギヤ１３ｂとを含んでいる。但し、ギヤ部１３におけるギヤの数及び配置は、上記の例に限定されず適宜変更可能である。シャフト１４は、ギヤ部１３から左右両側に延びる棒状とされており、内カバー５を左右方向に貫通している。シャフト１４の長手方向の端部１４ａは、外カバー４と内カバー５との間に位置している。
【００３１】
ギヤ部２０は、外カバー４と内カバー５との間に配置されている。ギヤ部２０は、駆動部１０からの駆動力を蓋駆動部材４０及び表示駆動部材６０に伝達する。ギヤ部２０は、シャフト１４の端部１４ａにおいてシャフト１４と共に回転する駆動ギヤ２１と、駆動ギヤ２１に噛合するメインギヤ３０（回転体）とを備えている。駆動ギヤ２１及びメインギヤ３０は、共に、上下方向及び前後方向に延在する平歯ギヤである。駆動ギヤ２１は、左右方向に伸びる軸を中心として回転し、メインギヤ３０は、駆動ギヤ２１の回転に伴い回転中心３０ａを中心として回転する。
【００３２】
メインギヤ３０は、駆動ギヤ２１からの駆動力を蓋駆動部材４０及び表示駆動部材６０に伝達する。メインギヤ３０は、円板状を成している。メインギヤ３０は、外カバー４側に向けられた第１面３１と、内カバー５側に向けられた第２面３２とを有する。第１面３１及び第２面３２は、共に、上下方向及び前後方向に延在している。また、第１面３１及び第２面３２は、互いに対向している。
【００３３】
第１面３１には、蓋駆動部材４０が係合する第１溝３３が設けられている。第１溝３３は、第１面３１から突出する一対の突出部３１ａによって第１面３１上に形成されたカム溝である。第１溝３３は、メインギヤ３０の回転中心３０ａ付近からメインギヤ３０の径方向外側に向かって延びる第１部分３３ａと、第１部分３３ａの径方向外側の端部に連続すると共にメインギヤ３０の外周と同心円状に延びる第２部分３３ｂとを有する。第１部分３３ａは、蓋駆動部材４０に蓋部２を移動させるために設けられる。なお、第１溝３３は、突出部３１ａによって形成された溝でなくてもよく、例えば、第１面３１から窪む凹部によって形成された溝であってもよい。
【００３４】
第２面３２には、表示駆動部材６０が係合する第２溝３４が設けられている。第２溝３４は、第２面３２から突出する渦巻き状の突出部３２ａによって第２面３２上に形成されたカム溝である。第２溝３４は、回転中心３０ａ付近においてメインギヤ３０の外周と同心円状に延びる第１部分３４ａと、第１部分３４ａから径方向外側に直線状に延びる第２部分３４ｂと、第２部分３４ｂからメインギヤ３０の外周と同心円状に延びる第３部分３４ｃとを有する。第２部分３４ｂは、表示駆動部材６０にコンバイナ３を昇降させるために設けられる。
【００３５】
更に、第２溝３４は、第３部分３４ｃの径方向内側においてメインギヤ３０の外周と同心円状に延びる第４部分３４ｄと、第４部分３４ｄから径方向外側に傾斜して延びる第５部分３４ｅと、第５部分３４ｅから径方向外側に延びる第６部分３４ｆとを有する。第５部分３４ｅ及び第６部分３４ｆは、表示駆動部材６０にコンバイナ３を傾動させるために設けられる。なお、第２溝３４は、突出部３２ａによって形成された溝でなくてもよく、例えば、第２面３２から窪む凹部によって形成された溝であってもよい。
【００３６】
図２〜図４に示されるように、蓋駆動部材４０は、内カバー５の外側面５ａに回転自在に支持されたシャッターレバー４１と、シャッターレバー４１に回転自在に連結されると共に蓋部２に向かって延びるシャッターリンク４２と、シャッターリンク４２のシャッターレバー４１との反対側の端部においてシャッターリンク４２に対して移動可能に連結されたシャッターラック４３とを備えている。
【００３７】
シャッターレバー４１は、棒状を成している。シャッターレバー４１の長手方向の一端部４１ａは、メインギヤ３０の回転中心３０ａから見てメインギヤ３０の外部に位置している。一端部４１ａは、内カバー５の外側面５ａから突出する円柱状の突出部５ｃに回転自在に連結されている。シャッターレバー４１の長手方向の他端部４１ｂは、メインギヤ３０の第１溝３３に沿って移動するボス４４（第１ボス）を有する。シャッターレバー４１は、その長手方向に交差する方向に突出する突出部４１ｃを有し、この突出部４１ｃには、シャッターリンク４２を回転自在に連結する回転軸部４５が設けられている。回転軸部４５は、メインギヤ３０の第１面３１の面外方向に延びており、第１面３１から僅かに離間している。
【００３８】
シャッターリンク４２は、シャッターレバー４１から棒状に延びると共に僅かに後方に湾曲する形状を成している。シャッターリンク４２の長手方向の一端部４２ａには、前述の回転軸部４５が設けられている。シャッターリンク４２の一端部４２ａは、回転軸部４５を中心とした円弧状を成すギヤ部４２ｂを備える。また、シャッターリンク４２の長手方向の他端部４２ｃには、シャッターリンク４２に沿って延びる長穴部４２ｄが形成されており、この長穴部４２ｄは、シャッターリンク４２を左右方向に貫通している。
【００３９】
シャッターラック４３は、多角形状かつ平板状を成している。シャッターラック４３は、外カバー４側に突出するボス４３ｂ（第３ボス）と、ボス４３ｂよりも小さくかつボス４３ｂと同方向に突出するボス４３ｃ（第３ボス）とを有する。更に、シャッターラック４３には、シャッターラック４３を左右方向に貫通する貫通孔４６が形成されており、貫通孔４６には、蓋部２のボス２ｅがシャッターラック４３の内側（内カバー５側）から通されている。貫通孔４６は、ボス４３ｃ側に位置する第１直線部４６ａと、第１直線部４６ａからボス４３ｃ側に折れ曲がった第２直線部４６ｂと、第２直線部４６ｂから更に折れ曲がった第３直線部４６ｃとを有する。
【００４０】
第１直線部４６ａ、第２直線部４６ｂ及び第３直線部４６ｃは互いに連続している。第１直線部４６ａは前後方向に延びており、第２直線部４６ｂは第１直線部４６ａから後方かつ斜め下方に延びている。第３直線部４６ｃは、第２直線部４６ｂから下方に延びている。
【００４１】
図３及び図５に示されるように、外カバー４は、その内側面４ｂに、シャッターラック４３のボス４３ｂが係合する溝５１（第３溝）と、シャッターラック４３のボス４３ｃ及び蓋部２のボス２ｅが係合する溝５２（第３溝）と、蓋部２のボス２ｆが係合する溝５３と、シャッターリンク４２のギヤ部４２ｂが噛合する円弧状のギヤ部５４とを有する。ギヤ部５４の曲率は、ギヤ部４２ｂの曲率よりも小さい。なお、本実施形態では、第３溝として２つの溝５１，５２が設けられる例について説明するが、第３溝の数は１つ又は３つ以上であってもよい。
【００４２】
溝５１、溝５２及び溝５３は、蓋部２を外カバー４に沿って移動させるために設けられる。溝５１は、外カバー４の上側かつ前後方向中央付近から前方かつ斜め下方に湾曲して延びている。溝５２は、溝５１の後方において上下に延びる第１部分５２ａと、第１部分５２ａの下端から溝５１に沿って斜め下方に延びる第２部分５２ｂとを含んでいる。溝５３は、溝５２の後方において外カバー４の上端面に沿って直線状に延びている。ギヤ部５４は、外カバー４の下側かつ前後方向中央付近において上下方向に延びている。
【００４３】
次に、表示駆動部材６０について説明する。図６〜図８に示されるように、表示駆動部材６０は、メインギヤ３０の第２面３２に係合している。表示駆動部材６０は、表示駆動レバー６１と、表示駆動リンク６２と、チルトリンク６３と、キャリッジ６４と、バネ部材６５（付勢部材）と、チルトレバー６６とを備えている。
【００４４】
表示駆動レバー６１は、メインギヤ３０の第２面３２に係合している。表示駆動レバー６１は、内カバー５の外側（図７及び図８における左側）に配置されている。表示駆動レバー６１は、平板状に形成されると共に、表示駆動レバー６１の中央部６１ａから第１端部６１ｂ、第２端部６１ｃ及び第３端部６１ｄの三方向に延びる形状を成している。
【００４５】
表示駆動レバー６１の第１端部６１ｂは、蓋部２が開口Ｄ１を閉塞しているときにおいては、メインギヤ３０の回転中心３０ａ付近に位置する。第１端部６１ｂは、メインギヤ３０の第２溝３４に係合するボス６７（第２ボス）を有する。ボス６７は、表示駆動レバー６１が係合するメインギヤ３０側（図７及び図８における左側）に突出している。第２端部６１ｃは、メインギヤ３０の回転中心３０ａから見てメインギヤ３０の外部に位置している。第２端部６１ｃは、内カバー５から外側（図７及び図８における左側）に突出する突起５ｄに回転自在に連結されている。
【００４６】
表示駆動レバー６１の第３端部６１ｄは、表示駆動リンク６２を回転自在に連結する回転軸部６８を有する。回転軸部６８は円柱状を呈する。回転軸部６８は、内カバー５を介して表示駆動レバー６１及び表示駆動リンク６２を回転自在に連結する。回転軸部６８は、内カバー５を左右方向に貫通する長穴部５ｆに通されている。
【００４７】
表示駆動レバー６１の中央部６１ａは、表示駆動レバー６１を左右方向に貫通する貫通孔６９を有しており、この貫通孔６９には、チルトレバー６６が通されている。貫通孔６９は、全体として略Ｌ字状を呈する。貫通孔６９は、メインギヤ３０の回転中心３０ａ側に位置する第１直線部６９ａと、第１直線部６９ａから折れ曲がる第２直線部６９ｂとを含んでいる。
【００４８】
表示駆動リンク６２、チルトリンク６３、キャリッジ６４及びバネ部材６５は、内カバー５の内側（図７における右側）に配置されている。表示駆動リンク６２は、棒状を成している。表示駆動リンク６２の長手方向の一端部６２ａには、回転軸部６８が嵌り込んでいる。図６及び図９に示されるように、一端部６２ａは、回転軸部６８を中心とした円弧状のギヤ部７０を備えており、このギヤ部７０は、内カバー５から内側に突出するギヤ部５ｇに噛合する。表示駆動リンク６２の長手方向の他端部６２ｂには長穴部７１が形成されている。長穴部７１は、表示駆動リンク６２を左右方向に貫通すると共に、表示駆動リンク６２の長手方向に沿って延びている。
【００４９】
図６及び図７に示されるように、チルトリンク６３は、表示駆動リンク６２に回転自在に連結されている。チルトリンク６３は、上記の長穴部７１、及び、内カバー５に直線状に設けられた溝部５ｈ（第４溝）に挿入されるボス６３ａ（第４ボス）と、キャリッジ６４を回転自在に保持する保持部６３ｂとを備えている。保持部６３ｂは、チルトリンク６３に対するキャリッジ６４の回転軸を含んでいる。この回転軸は、チルトリンク６３に対するキャリッジ６４の傾動軸であり、左右方向に延びている。溝部５ｈは、内カバー５において、前方かつ下方から後方かつ上方に向かって斜めに延びている。
【００５０】
キャリッジ６４は、チルトリンク６３に回転自在に連結されている。キャリッジ６４は、コンバイナ３に沿って左右方向に延びており、コンバイナ３の下部を保持している。キャリッジ６４の左右方向の端部６４ａは、チルトリンク６３の保持部６３ｂに形成された孔部を貫通して内カバー５の溝部５ｈに挿入されたボス６４ｂと、ボス６４ｂとは別の箇所でボス６４ｂと同方向に突出するボス６４ｃ（第５ボス）とを有する。
【００５１】
バネ部材６５は、チルトリンク６３とキャリッジ６４との間に介在している。バネ部材６５は、例えばコイルバネであり、バネ部材６５の鋼線の一端がチルトリンク６３に支持されると共に、バネ部材６５の鋼線の他端がキャリッジ６４に支持されている。このバネ部材６５によって、キャリッジ６４は、キャリッジ６４及びコンバイナ３の傾動を戻す方向に付勢されている。本実施形態において、キャリッジ６４及びコンバイナ３の傾動を戻す方向とは、コンバイナ３の表示面３ａが溝部５ｈに対して略平行に延在するようにキャリッジ６４を付勢する方向を示している。
【００５２】
チルトレバー６６は内カバー５の内側（図７における右側）に配置されている。チルトレバー６６は、内カバー５を介して、メインギヤ３０の第２溝３４の第４部分３４ｄ、第５部分３４ｅ又は第６部分３４ｆに係合している。チルトレバー６６は長尺状とされている。チルトレバー６６の長手方向の一端部６６ａには、チルトレバー６６が係合するメインギヤ３０側（図７における左側）に突出するボス６６ｂが設けられている。ボス６６ｂは、図１０に示される内カバー５の貫通孔５ｊ、及び表示駆動レバー６１の貫通孔６９に挿通されている。
【００５３】
図８及び図１０に示されるように、ボス６６ｂは、貫通孔５ｊ及び貫通孔６９を介して、第２溝３４の第４部分３４ｄ、第５部分３４ｅ及び第６部分３４ｆのいずれかに係合する。チルトレバー６６は、メインギヤ３０及び内カバー５に回転自在に連結されている。また、チルトレバー６６の長手方向の他端部６６ｃは、チルトレバー６６の長手方向に交差する方向に延びる溝６６ｄ（第５溝）を有する。
【００５４】
また、チルトレバー６６の長手方向の中央部には、チルトレバー６６の回転軸である軸穴６６ｋが形成されている。軸穴６６ｋには、内カバー５の内側面５ｂから内側（図８における右側）に突出する突出部５ｋが回転自在に係合している。
【００５５】
図１０に示されるように、長穴部５ｆ、ギヤ部５ｇ及び貫通孔５ｊは、内側面５ｂの下側かつ前後方向中央部分に形成されている。長穴部５ｆは、後方かつ下方から前方かつ上方に向かって斜めに延びている。ギヤ部５ｇは、長穴部５ｆの上方かつ後方において長穴部５ｆに沿って延びている。貫通孔５ｊは、ギヤ部５ｇの上方において前後方向に延びており、僅かに下方に湾曲している。また、突出部５ｋは貫通孔５ｊの上方に設けられている。
【００５６】
以上のように構成された表示装置１の動作について説明する。表示装置１では、駆動部１０が発生した駆動力がギヤ部２０に伝達され、この駆動力がギヤ部２０から蓋駆動部材４０及び表示駆動部材６０のそれぞれに伝達されることによって、蓋部２の開閉、コンバイナ３の昇降、及びコンバイナ３の傾動が行われる。まず、図１１に示されるように、蓋部２が開口Ｄ１を塞いでいる状態を初期状態とする。
【００５７】
初期状態においてモータ１１が駆動すると、モータ１１の駆動力が、ウォームギヤ１２、ギヤ部１３及びシャフト１４に伝達される。シャフト１４に伝達された駆動力は、左右外側の各ギヤ部２０に伝達される。ギヤ部２０に伝達された駆動力は、駆動ギヤ２１を介してメインギヤ３０に伝達される。このように伝達された駆動力によって、メインギヤ３０は一方向（例えば、図１１における時計回り）への回転を開始する。
【００５８】
以下では、メインギヤ３０の回転位置を示す仮想の基準点Ｐを定め、基準点Ｐの位置と各動作の関係についても説明する。図１１に示される例において、基準点Ｐは、メインギヤ３０の外周かつ第１溝３３の端部付近に位置しており、初期状態ではメインギヤ３０の下側に位置している。以下では、蓋部２による開口Ｄ１の開放、コンバイナ３の上方移動、及びコンバイナ３の傾動、の各動作について説明する。
【００５９】
（蓋部２による開口Ｄ１の開放）
基準点Ｐがメインギヤ３０の下側に位置した状態でメインギヤ３０が一方向への回転を開始すると、基準点Ｐはメインギヤ３０の下側から前側に移動する。そして、ボス４４が、第１溝３３に沿って移動を始め、メインギヤ３０の回転中心３０ａ付近からメインギヤ３０の径方向外側に向かって移動する。ボス４４は、第１溝３３の第１部分３３ａに沿って、回転中心３０ａ付近から移動を開始する。
【００６０】
第１部分３３ａに沿ったボス４４の移動により、シャッターレバー４１が突出部５ｃを中心として下方に揺動する。突出部５ｃを中心としてシャッターレバー４１が下方に揺動すると、回転軸部４５を中心としてシャッターリンク４２の他端部４２ｃが前方に揺動する。このとき、シャッターリンク４２のギヤ部４２ｂが外カバー４のギヤ部５４（図５参照）に噛合し、ギヤ部５４に沿ってギヤ部４２ｂが移動すると共に他端部４２ｃが前方に揺動する。
【００６１】
シャッターリンク４２の他端部４２ｃが前方に揺動すると、シャッターラック４３のボス４３ｂが外カバー４の溝５１に沿って前方に移動すると共に、シャッターラック４３のボス４３ｃが外カバー４の溝５２（第２部分５２ｂ）に沿って前方に移動する。これにより、シャッターラック４３が前方に移動する。
【００６２】
シャッターラック４３の前方への移動に伴って、貫通孔４６の第１直線部４６ａに挿通されているボス２ｅが、シャッターラック４３に対して後方に相対移動する。後方に相対移動したボス２ｅは第２直線部４６ｂに当接する。その後、ボス２ｅは、第２直線部４６ｂに沿って斜め下方に相対移動する。
【００６３】
前述のようにシャッターラック４３に対してボス２ｅが斜め下方に相対移動すると、第２直線部４６ｂの上側の壁面によってボス２ｅが斜め上から押圧されることにより、ボス２ｅは、第２直線部４６ｂに沿って摺動すると共に溝５２の第１部分５２ａに沿って下方に移動する。ボス２ｅが第１部分５２ａに沿って下方に移動すると、開口Ｄ１に対して蓋部２が下方に移動する。この蓋部２の下方への移動によって、蓋部２は、ダッシュボードＤの厚み分よりも下方に引き下げられる。そして、ボス２ｅが第１部分５２ａの下端に到達するときに、ボス２ｅは第３直線部４６ｃに到達する。
【００６４】
その後は、図１２に示されるように、シャッターラック４３のボス４３ｂが溝５１に沿って前方かつ斜め下方に移動すると共に、シャッターラック４３のボス４３ｃが溝５２の第２部分５２ｂに沿って前方かつ斜め下方に移動する。シャッターラック４３が前方かつ斜め下方に移動すると、貫通孔４６に係合するボス２ｅが溝５２の第２部分５２ｂに沿って前方かつ斜め下方に移動すると共に、蓋部２のボス２ｆが溝５３に沿って前方に移動する。蓋部２の前端に位置するボス２ｅが前方かつ斜め下方に移動すると共に、蓋部２の後端に位置するボス２ｆが前方に移動することによって、蓋部２は前方かつ斜め下方に移動する。そして、蓋部２は、ダッシュボードＤの下に潜り込むと共に開口Ｄ１を開放する。
【００６５】
蓋部２が開口Ｄ１を開放しているときに、メインギヤ３０の第２面３２では、図８に示されるように、表示駆動レバー６１のボス６７が第１部分３４ａに沿って移動する。また、チルトレバー６６のボス６６ｂは第４部分３４ｄに沿って移動する。前述したように、第１部分３４ａ及び第４部分３４ｄは、共に、メインギヤ３０の外周と同心円状に延びている。よって、ボス６７及びボス６６ｂは、メインギヤ３０の外周に沿って移動するだけでメインギヤ３０の径方向には移動しない。従って、蓋部２が開口Ｄ１を開放しているときには、メインギヤ３０が回転しても表示駆動レバー６１及びチルトレバー６６は揺動せず、表示駆動部材６０はアイドリング状態となる。
【００６６】
一方、図１３及び図１４に示されるように、メインギヤ３０の第１面３１においてボス４４が第１部分３３ａに沿って移動するにつれて、ボス２ｅ、ボス４３ｂ、及びボス４３ｃが斜め下方に下がると共に、ボス２ｆが前方に移動する。そして、ボス４４は第１溝３３の第２部分３３ｂに到達する。
【００６７】
第１溝３３の第２部分３３ｂは、メインギヤ３０の外周と同心円状に延びている。よって、ボス４４が第２部分３３ｂに沿って移動するときには、メインギヤ３０が回転してもシャッターレバー４１及びシャッターリンク４２は揺動しない。従って、蓋駆動部材４０はアイドリング状態となる。また、第２部分３３ｂに沿ってボス４４が移動することにより、シャッターレバー４１及びシャッターリンク４２の揺動が抑制される。従って、蓋部２が開口Ｄ１を開放している状態を安定して維持することができる。
【００６８】
前述のように蓋駆動部材４０がアイドリング状態となって、蓋部２による開口Ｄ１の開放が完了する。蓋部２が開口Ｄ１の開放を開始してから開口Ｄ１の開放が完了するまでに、メインギヤ３０は７０°以上かつ２００°未満の角度だけ回転する。
【００６９】
（コンバイナ３の上方移動）
以上のように蓋部２に開口Ｄ１を開放させた後には、コンバイナ３が上方移動を開始する。基準点Ｐがメインギヤ３０の前側に位置した状態でメインギヤ３０の一方向への回転を継続すると、基準点Ｐはメインギヤ３０の前側から上側に移動する。そして、図１４及び図１５に示されるように、表示駆動レバー６１のボス６７が第１部分３４ａから第２部分３４ｂに移動する。第２部分３４ｂは、メインギヤ３０の径方向外側に延びる部分である。このため、メインギヤ３０が回転すると、ボス６７が第２部分３４ｂに沿って移動することにより、表示駆動レバー６１が内カバー５の突起５ｄを中心として上方への回転を開始する。
【００７０】
すなわち、メインギヤ３０が一方向への回転を継続して基準点Ｐがメインギヤ３０の上側に移動すると、表示駆動レバー６１は、突起５ｄを中心としてボス６７を上方に移動させるように回転する。このように表示駆動レバー６１が回転すると、回転軸部６８を介して表示駆動レバー６１に連結されている表示駆動リンク６２が、回転軸部６８を中心として上方に回転する。このとき、表示駆動リンク６２は、その一端部６２ａに設けられたギヤ部７０が内カバー５のギヤ部５ｇ（図１０参照）に噛合し、ギヤ部５ｇに沿って回転する。そして、表示駆動リンク６２の他端部６２ｂが上方に移動する。
【００７１】
表示駆動リンク６２の他端部６２ｂが上方に移動すると、他端部６２ｂの長穴部７１に入り込んだボス６３ａが長穴部７１に沿って移動する。長穴部７１に入り込んだボス６３ａは、内カバー５の溝部５ｈに嵌り込んでいる。よって、他端部６２ｂが上方に移動すると、ボス６３ａは溝部５ｈに沿って上方に移動する。これにより、溝部５ｈに沿ってチルトリンク６３が上方に移動する。
【００７２】
チルトリンク６３が上方に移動すると、チルトリンク６３に回転自在に連結されたキャリッジ６４も上昇する。キャリッジ６４のボス６４ｂは内カバー５の溝部５ｈに嵌り込んでいるので、キャリッジ６４はチルトリンク６３と共に溝部５ｈに沿って上昇する。このとき、キャリッジ６４の傾動軸を含む保持部６３ｂが溝部５ｈに沿って直線的に上昇するので、キャリッジ６４に支持されたコンバイナ３は、表示面３ａの向きを維持した状態で上昇する。
【００７３】
ここで、「表示面３ａの向きを維持した状態で上昇」とは、表示面３ａの向き、すなわち表示面３ａが向く方向を変えずにコンバイナ３が上昇することを示している。また、「表示面３ａの向きを維持した状態」には、表示面３ａの向きが多少変わった状態（例えば、斜め方向又は水平方向を向く表示面３ａの角度が微調整された状態）が含まれ得る。
【００７４】
図１６及び図１７に示されるように、メインギヤ３０が更に一方向への回転を続けると、基準点Ｐはメインギヤ３０の上側から後側に向かって移動すると共に、コンバイナ３の上昇が継続される。そして、メインギヤ３０の第２面３２において、表示駆動レバー６１のボス６７が第２溝３４の第３部分３４ｃに到達するときに、コンバイナ３が開口Ｄ１の上方に到達する。
【００７５】
前述したように、第２溝３４の第３部分３４ｃは、メインギヤ３０の外周と同心円状に延びている。このため、メインギヤ３０が回転してボス６７が第３部分３４ｃに沿って移動しても表示駆動レバー６１は揺動しない。従って、以降は表示駆動レバー６１が揺動しない状態となり、コンバイナ３の上昇が完了する。コンバイナ３が上昇を開始してからコンバイナ３の上昇が完了するまでに、メインギヤ３０は７０°以上かつ２００°未満の角度だけ回転する。
【００７６】
（コンバイナ３の傾動）
以上のようにコンバイナ３が上昇を完了した後には、コンバイナ３の傾動を開始する。図１７及び図１８に示されるように、表示駆動レバー６１のボス６７が第２溝３４の第３部分３４ｃに到達してからメインギヤ３０が一方向に回転を続けると、チルトレバー６６のボス６６ｂが第２溝３４の第４部分３４ｄから第５部分３４ｅに到達する。そして、更にメインギヤ３０が回転を続けると、ボス６６ｂは、第５部分３４ｅから第６部分３４ｆに移動し、その後、第６部分３４ｆに沿って移動する。
【００７７】
第２溝３４の第５部分３４ｅ及び第６部分３４ｆはメインギヤ３０の径方向外側に延びる部分である。従って、ボス６６ｂが第５部分３４ｅ及び第６部分３４ｆに沿って移動すると、チルトレバー６６の他端部６６ｃが軸穴６６ｋ（図８参照）を中心として前方に揺動する。また、ボス６６ｂは、貫通孔６９に挿通されるが、表示駆動レバー６１とは接触しない状態で移動する。
【００７８】
前述のようにチルトレバー６６の他端部６６ｃが前方に揺動すると、他端部６６ｃはキャリッジ６４に当接する。そして、チルトレバー６６の溝６６ｄにキャリッジ６４のボス６４ｃが入り込み、ボス６４ｃが溝６６ｄに沿って摺動する。このとき、溝６６ｄはチルトレバー６６が揺動する方向に対して傾斜する方向に延びているので、ボス６４ｃが溝６６ｄ内で摺動すると共に、キャリッジ６４が上方に押圧される。
【００７９】
このようにキャリッジ６４が上方に押圧されることによって、キャリッジ６４に支持されたコンバイナ３がキャリッジ６４と共にボス６４ｂを回転軸として前方に傾動する。コンバイナ３及びキャリッジ６４の傾動量は、表示装置１の使用者の操作によって適宜調整される。具体的には、使用者の操作によって、第２溝３４の第６部分３４ｆにおけるボス６６ｂの位置が調整され、これにより、チルトレバー６６の揺動量、及び溝６６ｄに対するボス６４ｃの入り込み具合が調整されて、コンバイナ３の傾動量が調整される。このように、コンバイナ３が前方に所定量傾動した時点でメインギヤ３０が一方向への回転を停止し、コンバイナ３の傾動が完了する。
【００８０】
コンバイナ３の傾動が完了したときに、基準点Ｐはメインギヤ３０の後側に位置している。よって、図１１に示される開口Ｄ１の閉塞時から図１８に示されるコンバイナ３の傾動時までの間にメインギヤ３０は一回転していない。すなわち、メインギヤ３０が一回転する間に、蓋部２による開口Ｄ１の開放からコンバイナ３の傾動までの一連の動作が実行される。具体的には、蓋部２による開口Ｄ１の開放からコンバイナ３の傾動までの間にメインギヤ３０は２４０°以上かつ３６０°未満だけ回転する。
【００８１】
次に、コンバイナ３を開口Ｄ１の下方に収容して、開口Ｄ１を蓋部２で閉塞する動作について説明する。この動作では、図１１〜図１８に示される一連の動作とは逆の方向に、かつ逆の順序で各部品が移動する。すなわち、コンバイナ３の傾動、コンバイナ３の下降、及び開口Ｄ１の閉塞が、この順で直列的に実行される。まず、駆動部１０の駆動力によってメインギヤ３０が他方向に回転する。他方向とは、例えば前述した一方向の反対方向（図１８における反時計回り）を示している。
【００８２】
（コンバイナ３の傾動）
図１７及び図１８に示されるように、メインギヤ３０が他方向に回転すると、キャリッジ６４に対してチルトレバー６６が後方に揺動すると共に、バネ部材６５の付勢力によってコンバイナ３及びキャリッジ６４の傾動が元に戻される。また、溝６６ｄからキャリッジ６４のボス６４ｃが抜け出る。そして、チルトレバー６６のボス６６ｂが、第６部分３４ｆから第５部分３４ｅを介して第４部分３４ｄに移動する。これにより、キャリッジ６４及びコンバイナ３の傾動状態が元に戻る。
【００８３】
（コンバイナ３の下降）
図１４〜図１６に示されるように、メインギヤ３０が他方向への回転を継続すると、表示駆動レバー６１のボス６７が第３部分３４ｃから第２部分３４ｂに移動する。そして、表示駆動レバー６１がボス６７を下方に移動させるように揺動し、表示駆動リンク６２が他端部６２ｂを下方に移動させるように揺動する。また、チルトリンク６３のボス６３ａ、及びキャリッジ６４のボス６４ｂが内カバー５の溝部５ｈに沿って下降し、これによりチルトリンク６３及びキャリッジ６４が下降する。このとき、コンバイナ３は、表示面３ａの向きを維持した状態で下降する。
【００８４】
ここで、「表示面３ａの向きを維持した状態で下降」とは、表示面３ａの向きを変えずにコンバイナ３が下降することを示している。また、「表示面３ａの向きを維持した状態で下降」には、表示面３ａの向きが微調整されてコンバイナ３が下降する場合も含まれ得る。本実施形態では、表示面３ａが斜め下方を向いた状態でコンバイナ３が昇降する例を示しているが、表示面３ａの向きは上記の例に限られない。例えば、表示面３ａが水平方向を向いた状態でコンバイナ３が昇降してもよい。
【００８５】
更に、メインギヤ３０の他方向への回転を継続すると、基準点Ｐはメインギヤ３０の上側から前側に移動し、メインギヤ３０の第２面３２において、表示駆動レバー６１のボス６７が第１部分３４ａに到達する。このときコンバイナ３の下降が終了する。
【００８６】
（開口Ｄ１の閉塞）
コンバイナ３の下降が完了して他方向へのメインギヤ３０の回転を更に続けると、図１３及び図１４に示されるように、メインギヤ３０の第１面３１において、ボス４４が第１溝３３の第１部分３３ａに入り込む。そして、蓋部２及びシャッターラック４３が斜め上方に移動する。このとき、シャッターレバー４１及びシャッターリンク４２が上方に揺動し、図１１及び図１２に示されるように、上方に移動する蓋部２によって開口Ｄ１が閉塞される。
【００８７】
次に、本実施形態に係る表示装置１から得られる効果について説明する。
【００８８】
表示装置１は、駆動部１０の駆動により蓋部２を移動させる蓋駆動部材４０と、所定の情報を表示する表示面３ａを有するコンバイナ３と、駆動部１０の駆動により、ダッシュボードＤの開口Ｄ１に対して表示面３ａの向きを維持した状態でコンバイナ３を上下移動させ、開口Ｄ１の上方においてコンバイナ３を傾動させる表示駆動部材６０とを備える。
【００８９】
このように、表示装置１では、コンバイナ３が表示面３ａの向きを維持した状態で上下移動し、開口Ｄ１の上方においてコンバイナ３が傾動する。すなわち、表示装置１では、上下移動時にはコンバイナ３が揺動せず、コンバイナ３が開口Ｄ１の上方に達した状態でコンバイナ３を傾動させる。よって、ダッシュボードＤにコンバイナ３を揺動させるためのスペースを確保する必要がないので、より限られたスペースに表示装置１を配置することができる。従って、表示装置１では配置の自由度を高めることができる。
【００９０】
また、表示装置１は、駆動部１０の駆動によって回転するメインギヤ３０を備える。一方向へのメインギヤ３０の回転によって、蓋駆動部材４０が蓋部２に開口Ｄ１を開放させ、表示駆動部材６０がコンバイナ３の上方への移動及びコンバイナ３の傾動を行う。他方向へのメインギヤ３０の回転によって、表示駆動部材６０がコンバイナ３の傾動及びコンバイナ３の下方への移動を行い、蓋駆動部材４０が蓋部２に開口Ｄ１を閉塞させる。
【００９１】
このように、表示装置１では、メインギヤ３０の一方向への回転によって、開口Ｄ１の開放、コンバイナ３の上方移動、及びコンバイナ３の傾動を行い、メインギヤ３０の他方向への回転によって、コンバイナ３の傾動（傾動を元に戻すこと）、コンバイナ３の下方移動、及び開口Ｄ１の閉塞を行う。従って、メインギヤ３０を回転させるだけで開口Ｄ１の開閉、コンバイナ３の昇降、及びコンバイナ３の傾動、といった一連の動作を行うことができる。よって、表示装置１の部品点数を少なくすることができるので、表示装置１全体としての奥行き方向（前後方向）及び高さ方向（上下方向）の寸法を小さくすることができる。従って、表示装置１を小型化させることができる。
【００９２】
また、表示装置１では、開口Ｄ１の開閉、コンバイナ３の昇降、及びコンバイナ３の傾動が、左右それぞれに設けられた一枚のメインギヤ３０の回転によって行われる。開口Ｄ１の開閉、コンバイナ３の昇降、及びコンバイナ３の傾動は、この順で直列的に実行される。従って、開口Ｄ１を開閉させる工程、コンバイナ３を昇降させる工程、及びコンバイナ３を傾動させる工程、のいずれか一つの工程が他の工程を妨げないようにすることができる。よって、外乱又は外部負荷が表示装置１に作用しても、表示装置１全体としての動作に異常を発生しにくくすることができる。すなわち、外乱等に対する表示装置１の耐性を高めることができる。
【００９３】
また、表示装置１では、一方向にメインギヤ３０が一回転する間に、蓋駆動部材４０が蓋部２に開口Ｄ１を開放させ、表示駆動部材６０がコンバイナ３の上方への移動及びコンバイナ３の傾動を行う。そして、他方向にメインギヤ３０が一回転する間に、表示駆動部材６０がコンバイナ３の傾動及びコンバイナ３の下方への移動を行い、蓋駆動部材４０が蓋部２に開口Ｄ１を閉塞させる。このように、メインギヤ３０が一回転する間に前述の一連の動作を行うことができる。
【００９４】
また、表示装置１において、メインギヤ３０は、板状を成し、かつ、互いに対向する第１面３１及び第２面３２を有し、蓋駆動部材４０は、第１面３１に係合されており、表示駆動部材６０は、第２面３２に係合されている。このように、メインギヤ３０の第１面３１に蓋駆動部材４０が係合すると共に第２面３２に表示駆動部材６０が係合することにより、左右それぞれに設けられた一枚のメインギヤ３０から蓋駆動部材４０及び表示駆動部材６０の両方に駆動力を伝達させる。よって、一枚のメインギヤ３０によって蓋駆動部材４０及び表示駆動部材６０の両方を制御することができる。また、メインギヤ３０の両面を駆動力を伝達させる部位として有効利用することができるので、駆動のために必要な部品点数を減らすことができ、表示装置１の小型化に寄与する。
【００９５】
また、表示装置１において、メインギヤ３０は、第１面３１に設けられた第１溝３３と、第２面３２に設けられた第２溝３４と、を有する。蓋駆動部材４０は、第１溝３３に係合するボス４４を有し、表示駆動部材６０は、第２溝３４に係合するボス６７を有する。そして、メインギヤ３０は、回転してボス４４を第１溝３３に沿って移動させることにより蓋駆動部材４０に蓋部２を移動させ、回転してボス６７を第２溝３４に沿って移動させることにより表示駆動部材６０にコンバイナ３を移動させる。このように、表示装置１は、第１溝３３及び第２溝３４とボス４４，６７とを備えることにより、蓋駆動部材４０に蓋部２を移動させて表示駆動部材６０にコンバイナ３を移動させることができる。従って、蓋部２及びコンバイナ３を移動させる機構を簡易にすることができる。
【００９６】
また、蓋駆動部材４０は、ボス４４を有するシャッターレバー４１と、シャッターレバー４１に連結されたシャッターリンク４２と、ボス４３ｂ，４３ｃを有すると共に蓋部２に連結されたシャッターラック４３と、ボス４３ｂ，４３ｃのそれぞれが係合する溝５１，５２を有する外カバー４とを含んでいる。そして、メインギヤ３０の回転によってボス４３ｂ，４３ｃのそれぞれが溝５１，５２に沿って移動することにより、蓋部２が開口Ｄ１を開閉する。このように外カバー４に設けられた溝５１，５２に沿ってボス４３ｂ，４３ｃを移動させて蓋部２に開口Ｄ１を開閉させることにより、開口Ｄ１を開閉させる機構を簡易にすることができる。また、外カバー４が蓋部２をガイドする機能を兼ねているので、表示装置１を保護する外カバー４を有効利用することができる。
【００９７】
また、表示駆動部材６０は、ボス６７を有する表示駆動レバー６１と、表示駆動レバー６１に連結された表示駆動リンク６２と、ボス６３ａを有すると共に表示駆動リンク６２に連結されたチルトリンク６３と、ボス６３ａが係合する溝部５ｈを有する内カバー５とを含んでいる。そして、メインギヤ３０の回転によってボス６３ａが溝部５ｈに沿って移動することにより、コンバイナ３が昇降する。従って、内カバー５に設けられた溝部５ｈに沿ってボス６３ａが移動してコンバイナ３が昇降することにより、コンバイナ３を昇降させる機構を簡易にすることができる。また、表示装置１を保護する内カバー５をコンバイナ３の移動機構として有効利用することができる。更に、直線状に延びる溝部５ｈに沿ってボス６３ａが移動することにより、表示面３ａの向きを維持してコンバイナ３を昇降させる構成を容易に実現させることができる。
【００９８】
また、表示駆動部材６０は、コンバイナ３を支持すると共にチルトリンク６３に揺動自在に連結されたキャリッジ６４と、内カバー５に揺動自在に連結されたチルトレバー６６とを備える。そして、コンバイナ３が開口Ｄ１の上方に到達した状態でキャリッジ６４がチルトレバー６６に当接してチルトレバー６６に押圧されることにより、キャリッジ６４と共にコンバイナ３が傾動する。よって、開口Ｄ１の上方に到達した状態で、キャリッジ６４がチルトレバー６６に押圧されることによりコンバイナ３が傾動する。従って、コンバイナ３を傾動させる機構を簡易にすることができる。
【００９９】
また、キャリッジ６４はボス６４ｃを有し、チルトレバー６６は溝６６ｄを有しており、キャリッジ６４は、ボス６４ｃが溝６６ｄに係合した状態でチルトレバー６６に押圧される。このようにボス６４ｃが溝６６ｄに係合した状態でキャリッジ６４が押圧されることにより、キャリッジ６４及びコンバイナ３の傾動の動作を安定させることができる。
【０１００】
また、表示駆動部材６０は、キャリッジ６４とチルトリンク６３との間に位置しており、キャリッジ６４及びコンバイナ３の傾動を戻す方向にキャリッジ６４を付勢するバネ部材６５を備える。このバネ部材６５は、キャリッジ６４の傾動を元に戻す方向にキャリッジ６４を付勢するので、コンバイナ３及びキャリッジ６４の傾動（傾動の戻し）をがたつき無く行うことができる。
【０１０１】
また、表示装置１において、駆動部１０は、一つのモータ１１によって駆動力を発生させる。このように、表示装置１は一つのモータ１１によって駆動する。従って、複数のモータを備える場合と比較して、部品点数を減らすことができると共に構成を簡易にすることができ、表示装置１の更なる小型化に寄与する。
【０１０２】
また、蓋部２は、斜めに移動することによって開口Ｄ１の閉塞及び開口Ｄ１の開放を行う。すなわち、蓋部２は、回転せずに移動して開口Ｄ１を開閉する。従って、表示装置１では、蓋部２が回転するスペースを不要とすることができる。更に、蓋部２は、ダッシュボードＤの上方に突出しない。従って、蓋部２が運転者等の視界を遮るのを回避することができる。
【０１０３】
（第２実施形態）
次に、図１９及び図２０を参照しながら、第２実施形態に係る表示装置８１について説明する。表示装置８１は、蓋部８２、メインギヤ９０及び蓋駆動部材１００の構成が第１実施形態と異なっている。すなわち、第２実施形態は、蓋部、回転体及び蓋駆動部材の変形例に相当する。以降の説明では、第１実施形態と重複する説明を省略する。
【０１０４】
メインギヤ９０は前述の第１面３１と同様の第１面９１を有しており、第１面９１には蓋駆動部材１００が係合する第１溝９３が設けられている。第１溝９３は、メインギヤ９０の外周と同心円状に延びる第１部分９３ａと、メインギヤ９０の径方向外側に傾斜する第２部分９３ｂと、メインギヤ９０の外周と同心円状に延びる第３部分９３ｃとを有する。第１部分９３ａ、第２部分９３ｂ及び第３部分９３ｃは、互いに連続している。
【０１０５】
蓋駆動部材１００は、メインギヤ９０に噛合する小径ギヤ１０１と、メインギヤ９０の第１溝９３に係合するシャッターレバー１０２と、シャッターラック１０３とを含んでいる。小径ギヤ１０１は、メインギヤ９０の上方かつ後方に配置されている。蓋部８２は、その下部に、小径ギヤ１０１が噛合するギヤ部８２ａを備えており、シャッターラック１０３も同様のギヤ部１０３ａを備えている。
【０１０６】
シャッターレバー１０２は、メインギヤ９０の第１面９１に対向する位置で直線状に延びる第１部分１０２ａと、第１部分１０２ａから第１部分１０２ａに交差する方向に延びる第２部分１０２ｂと、第２部分１０２ｂの第１部分１０２ａとの反対側の端部から蓋部８２に向かって延びる第３部分１０２ｃとを有する。
【０１０７】
第１部分１０２ａは、第１溝９３に係合するボス１０５を備えており、このボス１０５が第１溝９３に入り込むことによって蓋駆動部材１００がメインギヤ９０に係合している。第１部分１０２ａのボス１０５との反対側の端部には、回転軸１０２ｄが設けられている。また、第３部分１０２ｃの第２部分１０２ｂとの反対側の端部には、蓋部８２に係合するボス１０６が設けられている。蓋部８２は、ボス１０６を入り込ませることによってボス１０６を蓋部８２に係合させるボス収容部８２ｂを備えており、このボス収容部８２ｂは、蓋部８２の後端に設けられている。
【０１０８】
次に、第２実施形態の表示装置８１において、蓋部８２に開口Ｄ１を開閉させる動作について説明する。蓋部８２が開口Ｄ１を塞いでいる初期状態において、駆動部１０が駆動すると、第１実施形態と同様、駆動部１０の駆動力が駆動ギヤ２１を介してメインギヤ９０に伝達される。この駆動力により、メインギヤ９０は、一方向（例えば図１９における時計回り）に回転を開始する。
【０１０９】
（蓋部８２による開口Ｄ１の開放）
メインギヤ９０が一方向への回転を開始すると、シャッターレバー１０２のボス１０５が第１溝９３の第１部分９３ａに沿って移動を始める。しかし、第１部分９３ａはメインギヤ９０の外周と同心円状に延びる部分であるため、ボス１０５が第１部分９３ａに沿って移動しているときにシャッターレバー１０２は動作しない。
【０１１０】
また、メインギヤ９０が一方向への回転を開始すると、メインギヤ９０に噛合する小径ギヤ１０１が他方向（例えば図１９における反時計回り）に回転する。小径ギヤ１０１が他方向に回転すると、小径ギヤ１０１に噛合するシャッターラック１０３が前方への移動を開始する。そして、第１実施形態と同様、開口Ｄ１に対して蓋部８２が下方に移動し、その後、蓋部８２は前方かつ斜め下方に移動する。このように蓋部８２が下方かつ前方に移動することによって開口Ｄ１が開放される。
【０１１１】
また、メインギヤ９０が一方向に回転して開口Ｄ１が開放され、この開放動作が終了する直前に、シャッターレバー１０２のボス１０５が第１溝９３の第２部分９３ｂに到達する。そして、図２１に示されるように、ボス１０５が第２部分９３ｂに沿って移動すると、シャッターレバー１０２の第３部分１０２ｃが回転軸１０２ｄを中心として上方に揺動する。
【０１１２】
また、蓋部８２の前方への移動に伴ってボス収容部８２ｂが後方からボス１０６に接近し、ボス収容部８２ｂにボス１０６を係合させる。そして、ボス収容部８２ｂへのボス１０６の係合、及び第３部分１０２ｃの上方への揺動によって蓋部８２が上方に持ち上げられる。このとき、小径ギヤ１０１へのギヤ部８２ａの噛合が解除される。このギヤ部８２ａの噛合の解除を経て、蓋部８２による開口Ｄ１の開放が完了する。その後は、第１実施形態と同様に、コンバイナ３の上昇、及びコンバイナ３の傾動が行われる。
【０１１３】
（蓋部８２による開口Ｄ１の閉塞）
蓋部８２に開口Ｄ１を閉塞させる動作は、蓋部８２に開口Ｄ１を開放させる動作とは逆方向かつ逆の順序で各部品が動作する。すなわち、図２１に示される状態においてメインギヤ９０が他方向に回転すると、ボス１０５が第２部分９３ｂに沿ってメインギヤ９０の径方向内側に移動し、これに伴い、シャッターレバー１０２の第３部分１０２ｃが下方に揺動する。第３部分１０２ｃが下方に揺動すると、ボス収容部８２ｂへのボス１０６の係合が解除されると共に、ギヤ部８２ａが小径ギヤ１０１に噛合する。そして、蓋部８２及びシャッターラック１０３が後方かつ斜め上方に移動して、蓋部８２が開口Ｄ１を閉塞する。
【０１１４】
以上、第２実施形態に係る表示装置８１では、蓋部８２、メインギヤ９０及び蓋駆動部材１００の構成が第１実施形態と異なっており、コンバイナ３が表示面３ａの向きを維持した状態で上下移動する点は第１実施形態と共通する。従って、表示装置８１では第１実施形態と同様の効果が得られる。
【０１１５】
以上、本発明をその実施形態に基づいて詳細に説明した。しかし、本発明は、前述の各実施形態に限定されるものではない。すなわち、本発明は、特許請求の範囲に記載した要旨を逸脱しない範囲において様々な変形が可能である。
【０１１６】
例えば、前述の実施形態では、上に凸とされた曲面状の蓋部２、及び平板状のコンバイナ３について説明したが、蓋部及びコンバイナの形状、大きさ及び配置は適宜変更可能である。更に、蓋部２の表面２ａが開口Ｄ１の閉塞時にダッシュボードＤの表面と同一平面上に設けられる例について説明したが、蓋部の表面は、開口の閉塞時にダッシュボードの表面と同一平面上にならなくてもよい。
【０１１７】
また、前述の実施形態では、表示装置１が外カバー４及び内カバー５を備えており、表示装置１が二重構造のカバーを有する例について説明した。しかしながら、カバーの数、形状及び配置は、上記の例に限られず適宜変更可能である。また、前述の実施形態では、ギヤ部２０が駆動ギヤ２１及びメインギヤ３０を含む例について説明したが、ギヤ部２０を構成するギヤの数、ギヤの形状、ギヤの大きさ、及びギヤの配置についても適宜変更可能である。
【０１１８】
また、前述の第１実施形態では、蓋駆動部材４０がシャッターレバー４１、シャッターリンク４２及びシャッターラック４３を備える例について説明した。しかしながら、例えば第２実施形態のように、蓋駆動部材の構成は適宜変更することが可能である。また、シャッターラック４３に設けられるボスの数は、２つ（ボス４３ｂ，４３ｃ）に限られず、１つ又は３つ以上であってもよい。また、表示駆動部材の構成についても、表示駆動レバー６１、表示駆動リンク６２、チルトリンク６３、キャリッジ６４、バネ部材６５及びチルトレバー６６を備えた表示駆動部材６０に限られず、適宜変更可能である。
【０１１９】
また、前述の実施形態では、駆動部１０が、蓋部２の下方であって、かつ２枚の内カバー５の間に設けられる例について説明した。しかし、駆動部の配置位置は特に限定されず、駆動部の構成も適宜変更可能である。
【０１２０】
また、前述の実施形態では、外カバー４、内カバー５、ギヤ部２０、蓋駆動部材４０及び表示駆動部材６０が、左右一対に設けられており、これらの部品が、互いに同一の形状を有し、互いに対称に配置されている例について説明した。しかしながら、これらの部品は、左右対称に設けられていなくてもよく、また、左右で互いに異なる形状であってもよい。
【０１２１】
また、前述の実施形態では、表示部がコンバイナ３であって表示装置１がダッシュボードＤに取り付けられている例について説明した。しかしながら、本発明に係る表示装置は、ダッシュボードＤ以外の対象物に取り付けられてもよく、表示装置が取り付けられる対象物の種類は特に限定されない。すなわち、蓋部が移動することによって開口を開閉し、かつ、開口に対して上下移動する表示部を備える表示装置であれば、表示装置を適用する対象物は適宜変更可能である。
【符号の説明】
【０１２２】
１，８１…表示装置、２，８２…蓋部、３…コンバイナ（表示部）、３ａ…表示面、４…外カバー（カバー）、５…内カバー（固定部材）、５ｈ…溝部（第４溝）、１０…駆動部、３０，９０…メインギヤ（回転体）、３１，９１…第１面、３２…第２面、３３，９３…第１溝、３４…第２溝、４０，１００…蓋駆動部材、４１，１０２…シャッターレバー、４２…シャッターリンク、４３，１０３…シャッターラック、４３ｂ，４３ｃ…ボス（第３ボス）、４４…ボス（第１ボス）、５１，５２…溝（第３溝）、６０…表示駆動部材、６１…表示駆動レバー、６２…表示駆動リンク、６３…チルトリンク、６３ａ…ボス（第４ボス）、６４…キャリッジ、６４ｃ…ボス（第５ボス）、６５…バネ部材（付勢部材）、６６…チルトレバー、６６ｄ…溝（第５溝）、６７…ボス（第２ボス）、Ｄ…ダッシュボード（対象物）、Ｄ１…開口。
【図１】
2017226315.tif 000003
【図２】
2017226315.tif 000004
【図３】
2017226315.tif 000005
【図４】
2017226315.tif 000006
【図５】
2017226315.tif 000007
【図６】
2017226315.tif 000008
【図７】
2017226315.tif 000009
【図８】
2017226315.tif 000010
【図９】
2017226315.tif 000011
【図１０】
2017226315.tif 000012
【図１１】
2017226315.tif 000013
【図１２】
2017226315.tif 000014
【図１３】
2017226315.tif 000015
【図１４】
2017226315.tif 000016
【図１５】
2017226315.tif 000017
【図１６】
2017226315.tif 000018
【図１７】
2017226315.tif 000019
【図１８】
2017226315.tif 000020
【図１９】
2017226315.tif 000021
【図２０】
2017226315.tif 000022
【図２１】
2017226315.tif 000023
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
対象物に取り付けられる表示装置であって、
駆動力を生じる駆動部と、
前記対象物の開口を開閉する蓋部と、
前記駆動部の駆動力により前記蓋部を移動させる蓋駆動部材と、
所定の情報を表示する表示面を有する表示部と、
前記駆動部の駆動力により、前記開口に対する前記表示面の向きを維持した状態で前記表示部を上下移動させ、前記開口の上方において前記表示部を傾動させる表示駆動部材と、
前記駆動部の駆動力によって回転する回転体と、
を備え、
前記回転体は、板状を成し、かつ、互いに対向する第１面及び第２面を有し、
前記蓋駆動部材は、前記第１面に係合されており、
前記表示駆動部材は、前記第２面に係合されている、
表示装置。
【請求項２】
一方向への前記回転体の回転によって、前記蓋駆動部材が前記蓋部に前記開口を開放させ、前記表示駆動部材が前記表示部の上方への移動及び前記表示部の傾動を行い、
他方向への前記回転体の回転によって、前記表示駆動部材が前記表示部の傾動及び前記表示部の下方への移動を行い、前記蓋駆動部材が前記蓋部に前記開口を閉塞させる、
請求項１に記載の表示装置。
【請求項３】
前記一方向に前記回転体が一回転する間に、前記蓋駆動部材が前記蓋部に前記開口を開放させ、前記表示駆動部材が前記表示部の上方への移動及び前記表示部の傾動を行い、
前記他方向に前記回転体が一回転する間に、前記表示駆動部材が前記表示部の傾動及び前記表示部の下方への移動を行い、前記蓋駆動部材が前記蓋部に前記開口を閉塞させる、請求項２に記載の表示装置。
【請求項４】
前記回転体は、前記第１面に設けられた第１溝と、前記第２面に設けられた第２溝と、を有し、
前記蓋駆動部材は、前記第１溝に係合する第１ボスを有し、
前記表示駆動部材は、前記第２溝に係合する第２ボスを有し、
前記回転体の回転によって前記第１ボスが前記第１溝に沿って移動することにより前記蓋駆動部材に前記蓋部を移動させ、前記回転体の回転によって前記第２ボスが前記第２溝に沿って移動することにより前記表示駆動部材に前記表示部を移動させる、
請求項１〜３のいずれか一項に記載の表示装置。
【請求項５】
前記蓋駆動部材は、前記第１ボスを有するシャッターレバーと、前記シャッターレバーに連結されたシャッターリンクと、第３ボスを有すると共に前記蓋部に連結されたシャッターラックと、前記第３ボスが係合する第３溝を有するカバーと、を含んでおり、
前記回転体の回転によって前記第３ボスが前記第３溝に沿って移動することにより、前記蓋部が前記開口を開閉する、
請求項４に記載の表示装置。
【請求項６】
前記表示駆動部材は、前記第２ボスを有する表示駆動レバーと、前記表示駆動レバーに連結された表示駆動リンクと、第４ボスを有すると共に前記表示駆動リンクに連結されたチルトリンクと、前記第４ボスが係合する第４溝を有する固定部材と、を含んでおり、
前記回転体の回転によって前記第４ボスが前記第４溝に沿って移動することにより、前記表示部が昇降する、
請求項４又は５に記載の表示装置。
【請求項７】
前記表示部を支持すると共に前記チルトリンクに揺動自在に連結されたキャリッジと、前記固定部材に揺動自在に連結されたチルトレバーとを備え、
前記表示部が前記開口の上方に到達した状態で前記キャリッジが前記チルトレバーに当接して前記チルトレバーに押圧されることにより、前記キャリッジと共に前記表示部が傾動する、
請求項６に記載の表示装置。
【請求項８】
前記キャリッジは第５ボスを有し、前記チルトレバーは第５溝を有しており、
前記キャリッジは、前記第５ボスが前記第５溝に係合した状態で前記チルトレバーに押圧される、
請求項７に記載の表示装置。
【請求項９】
前記キャリッジと前記チルトリンクとの間に位置しており、前記キャリッジ及び前記表示部の傾動を戻す方向に前記キャリッジを付勢する付勢部材を備える、
請求項７又は８に記載の表示装置。
【手続補正２】
【補正対象書類名】明細書
【補正対象項目名】０００７
【補正方法】変更
【補正の内容】
【０００７】
本発明の一形態に係る表示装置は、対象物に取り付けられる表示装置であって、駆動力を生じる駆動部と、対象物の開口を開閉する蓋部と、駆動部の駆動力により蓋部を移動させる蓋駆動部材と、所定の情報を表示する表示面を有する表示部と、駆動部の駆動力により、開口に対する表示面の向きを維持した状態で表示部を上下移動させ、開口の上方において表示部を傾動させる表示駆動部材と、駆動部の駆動力によって回転する回転体と、を備え、回転体は、板状を成し、かつ、互いに対向する第１面及び第２面を有し、蓋駆動部材は、第１面に係合されており、表示駆動部材は、第２面に係合されている。
【手続補正３】
【補正対象書類名】明細書
【補正対象項目名】０００８
【補正方法】変更
【補正の内容】
【０００８】
別の形態に係る表示装置において、一方向への回転体の回転によって、蓋駆動部材が蓋部に開口を開放させ、表示駆動部材が表示部の上方への移動及び表示部の傾動を行い、他方向への回転体の回転によって、表示駆動部材が表示部の傾動及び表示部の下方への移動を行い、蓋駆動部材が蓋部に開口を閉塞させてもよい。
【手続補正４】
【補正対象書類名】明細書
【補正対象項目名】００１０
【補正方法】削除
【補正の内容】